(57)【要約】【課題】外観デザインを損なうことなく、筐体を確実に開動作させることが可能なヒンジ装置および携帯端末を提供する。【解決手段】携帯端末を構成する第１筐体と第２筐体とを開閉可能に接続するヒンジ装置であって、第１筐体及び第２筐体のそれぞれに固定される第１カム及び第２カムと、前記カムを回転軸の軸心方向へ向けて付勢する押圧付勢手段と、前記カムを相対回転させる回転付勢手段と、前記カムの互いの対向部に設けられ、カムが押圧付勢手段で押圧されているときに係合して回転付勢手段による回転を係止し、かつ、押圧付勢手段の付勢力に逆らって逆方向に押圧されたときに回転係止を解除する係合手段と、第２筐体に対して軸心方向に摺動可能な第１筐体に設けられ、外部操作による逆方向の押圧力を第１筐体に伝達する押圧操作手段とを備え、押圧操作手段を、第１筐体に形成された軸心方向の凹部に、第１筐体に対して回転自在に装着した。【選択図】図１０
2009138785.tif 000002
【特許請求の範囲】
【請求項１】
携帯端末を構成する第１筐体と第２筐体とを、第２筐体に対する第１筐体の枢動により折りたたみ開閉可能に接続するヒンジ装置であって、
前記第１筐体に固定される第１カムと、
前記第２筐体に固定される第２カムと、
前記第１カムおよび前記第２カムを同一の回転軸で相対回転可能に連結する連結部と、
前記第１カムと前記第２カムの少なくとも一方を前記回転軸の軸心方向へ向けて付勢する押圧付勢手段と、
前記第１カムと前記第２カムを相対回転させる回転付勢手段と、
前記第１カムと前記第２カムの互いの対向部に設けられ、前記第１カムと前記第２カムが前記押圧付勢手段で押圧されているときに係合して前記回転付勢手段による回転を係止し、かつ、前記押圧付勢手段の付勢力に逆らって逆方向に押圧されたときに回転係止を解除する係合手段と、
前記第２カム及び前記第２筐体に対して前記１カムとともに軸心方向に摺動可能な前記第１筐体に設けられ、外部操作による前記逆方向の押圧力を前記第１筐体に伝達する押圧操作手段とを備え、
該押圧操作手段を、前記第１筐体に形成された前記軸心方向の凹部に、前記第１筐体に対して回転自在に装着した
ヒンジ装置。
【請求項２】
前記押圧操作手段を、
前記逆方向の押圧力が付与されていない状態において、前記第２筐体側面に対して面一となる面一形状に形成した
請求項１記載のヒンジ装置。
【請求項３】
前記押圧操作手段の前記第２筐体との対向面を、
前記第２筐体と面接触する面接触形状に形成した
請求項１又は２記載のヒンジ装置。
【請求項４】
請求項１、２または３記載のヒンジ装置で接続した前記第１筐体と前記第２筐体の少なくとも一方に、画像を表示する表示手段と入力操作を許容する入力手段の少なくとも一方を備えた
携帯端末。
【発明の詳細な説明】
【技術分野】
【０００１】
この発明は、例えば第１筐体と第２筐体が折りたたみ開閉可能に連結された携帯電話機やＰＤＡ等の携帯端末に用いられるようなヒンジ装置および携帯端末に関する。
【背景技術】
【０００２】
従来、携帯電話機などの携帯端末では、クラムシェルタイプと呼ばれる折りたたみ開閉を行うヒンジ装置が多く用いられている。このような折りたたみ開閉を行うヒンジ装置として、ヒンジ部分の筐体側面に開動作用の押しボタンが設けられたヒンジユニットが提案されている（特許文献１参照）。このヒンジユニットは、押しボタンが押されるとロック機構が離脱し、コイルスプリングの自己解放トルクによって、閉状態から約１５０度開いた使用状態に移行する。これにより、閉状態からワンタッチで使用状態にできるとされている。
【０００３】
しかし、このヒンジユニットは、押しボタンが小さく押しづらいという問題点がある。また、このヒンジユニットの押しボタンを押す際に、指が他の部分に接触してしまい、その摩擦抵抗により筐体の開放が妨げられたり、開放力を低下させてしまうなどの問題点がある。
【０００４】
【特許文献１】特開２００１−２２３４７９号公報
【発明の開示】
【発明が解決しようとする課題】
【０００５】
この発明は、上述の問題点に鑑み、外観デザインを損なうことなく、筐体を確実に開動作させることが可能なヒンジ装置および携帯端末を提供し、利用者の利便性を向上することを目的とする。
【課題を解決するための手段】
【０００６】
この発明は、携帯端末を構成する第１筐体と第２筐体とを、第２筐体に対する第１筐体の枢動により折りたたみ開閉可能に接続するヒンジ装置であって、前記第１筐体に固定される第１カムと、前記第２筐体に固定される第２カムと、前記第１カムおよび前記第２カムを同一の回転軸で相対回転可能に連結する連結部と、前記第１カムと前記第２カムの少なくとも一方を前記回転軸の軸心方向へ向けて付勢する押圧付勢手段と、前記第１カムと前記第２カムを相対回転させる回転付勢手段と、前記第１カムと前記第２カムの互いの対向部に設けられ、前記第１カムと前記第２カムが前記押圧付勢手段で押圧されているときに係合して前記回転付勢手段による回転を係止し、かつ、前記押圧付勢手段の付勢力に逆らって逆方向に押圧されたときに回転係止を解除する係合手段と、前記第２カム及び前記第２筐体に対して前記１カムとともに軸心方向に摺動可能な前記第１筐体に設けられ、外部操作による前記逆方向の押圧力を前記第１筐体に伝達する押圧操作手段とを備え、該押圧操作手段を、前記第１筐体に形成された前記軸心方向の凹部に、前記第１筐体に対して回転自在に装着したこと特徴とする。
【０００７】
前記回転付勢手段は、回転させる方向へ直接力を加えるバネなどの弾性部材、あるいは、第１カムと第２カムを近づける方向へ押圧する弾性部材とこの押圧力によって回転力を生じる傾斜面を利用したカム形状とで構成するなど、回転付勢する適宜の手段で構成することができる。
【０００８】
この発明により、前記押圧操作手段を軸心方向における逆方向に押圧することによって第１筐体とともに第１カムを逆方向に摺動させ、この摺動によって係合手段の回転係止を解除して、第１筐体を開放することのできるヒンジ装置を提供できる。また、上述したような第１筐体の開操作において、開操作する指が他の部分と接触することによる摩擦抵抗により筐体の開放が妨げられたり、開放力を低下することなく、確実に開動作させることが可能な携帯端末を、外観デザインを損なうことなく実現することができるヒンジ装置を提供することができる。
【０００９】
この発明の態様として、前記押圧操作手段を、前記逆方向の押圧力が付与されていない状態において、前記第２筐体側面に対して面一となる面一形状に形成することができる。  
これにより、押圧操作手段が不用意に操作され、不用意に開動作が生じることを防止できる。また、押圧操作手段を備えた上で、優れた外観デザインの携帯端末を実現できるヒンジ装置を提供することができる。
【００１０】
またこの発明の態様として、前記押圧操作手段の前記第２筐体との対向面を、前記第２筐体と面接触する面接触形状に形成することができる。  
これにより、押圧操作手段が第２筐体に装備されているかのような美しい美観に仕上げることができる。
【００１１】
また、押圧操作手段の供回りを防止するためのその他の治具を備えずとも、第２筐体に対して枢動する第１筐体との供回りを確実に防止できる。したがって、押圧操作手段を押圧する指との摩擦抵抗により筐体の開放が妨げられたり、開放力を低下することがなく、良好な操作性を得ることができる。
【００１２】
またこの発明は、前記ヒンジ装置で接続した前記第１筐体と前記第２筐体の少なくとも一方に、画像を表示する表示手段と入力操作を許容する入力手段の少なくとも一方を備えた携帯端末とすることができる。  
これにより、外観デザインを損なうことなく、筐体を確実に開動作させることが可能な携帯端末を提供することができる。
【発明の効果】
【００１３】
この発明により、上述の問題点に鑑み、外観デザインを損なうことなく、筐体を確実に開動作させることが可能なヒンジ装置および携帯端末を提供し、利用者の利便性を向上することができる。
【発明を実施するための最良の形態】
【００１４】
この発明の一実施形態を以下図面と共に説明する。  
図１は正面右上から見た開状態の携帯電話機１の斜視図を示し、図２は正面左上から見た閉状態における携帯電話機１のボタンキャップ５１及びダミーキャップ５２の分解斜視図を示し、図３は閉状態の携帯電話機１の分解上面図を示し、図４は左側面後ろ下方から見たヒンジ機構１０の分解斜視図を示し、図５は左側面後ろ下方から見たヒンジ機構１０の斜視図を示し、図６は閉状態の携帯電話機１の縦断上面図を示し、図７は右側面後ろ上方から見た携帯電話機１の部分斜視図を示し、図８はカム面の構成説明図を示す。
【００１５】
図１に示すように、携帯電話機１は、下筐体２と上筐体４とが、それぞれの連結筐体３により折りたたみ開閉可能に接続されている。  
下筐体２には、押下ボタンなどの入力装置Ｉ、および集音用のマイクＭが折りたたみ内側面に設けられている。上筐体４には、液晶ディスプレイなどの表示装置Ｄ、および音声出力用のスピーカＳが折りたたみ内側面に設けられている。
【００１６】
また、上筐体４は、接続部分の端面中央に形成した長さ方向に凹な凹部４ａと、凹部４ａの両外側で、上筐体４の角部に形成した幅及び長さ方向に凹な凹部４ｂ，４ｂとを備えている。これにより、上筐体４は、上筐体４の接続部分の端面から長さ方向に突出する２本の接続脚部４ｃ，４ｃを備えている。
【００１７】
なお、接続脚部４ｃ，４ｃには、各接続脚部４ｃの両外側面から幅方向外向きに突出する回転軸４ｄ，４ｄを備えている（図２参照）。正面視右側の該回転軸４ｄにはボタンキャップ５１が装着され、正面視左側の回転軸４ｄにはダミーキャップ５２が装着されている。上記構成により、ボタンキャップ５１及びダミーキャップ５２は上筐体４に対して回転自在に装着されている。
【００１８】
内側面側に回転軸４ｄの挿入を許容する挿入孔５１ａ，５２ａを備えたボタンキャップ５１及びダミーキャップ５２は側面視釣鐘形状に形成され、底面側の平面部分５１ｂ，５２ｂが下筐体２に対向する向きで上筐体４に装着されている。
【００１９】
なお、ボタンキャップ５１及びダミーキャップ５２は、側面部分５１ｃ，５２ｃが下筐体２の下筐体側面２ｂ及び上筐体４の側面４ｆと、上面が下筐体２の下筐体上面２ｃと、正面が上筐体４の上筐体正面４ｅと、それぞれ面一になるよう形成されている。また、ボタンキャップ５１及びダミーキャップ５２は、正面から上面にかかる円弧部分が接続脚部４ｃと同一の円弧形状に形成されている。
【００２０】
そして、上記連結筐体３は、下筐体２に対して、接続部分の折りたたみ内側面（図１の上面）に突出するように接続され、上筐体４に対しては、上記凹部４ａに嵌まり込むように接続されている。
【００２１】
連結筐体３は、図３に示すように、上筐体用カム軸６０、下筐体用カムパイプ４０、押圧バネ３５、回動バネ３０、および上筐体用固定プレート２０で構成されるヒンジ機構１０と、このヒンジ機構１０を被覆するカバーとなるハウジング１５とにより構成されている。
【００２２】
ハウジング１５は、側面視釣鐘形状に形成され、内部に円筒形の孔１７を備えている。この孔１７の一端側に上筐体４の枢軸５が挿通される。また、この孔１７には、ヒンジ機構１０が挿通される。
【００２３】
側面視釣鐘形状に形成されたハウジング１５の平面部分１５ａにスライド許容孔１６が形成されている。このスライド許容孔１６には、ヒンジ機構１０の下筐体用カムパイプ４０に設けられた下筐体固定板４２が枢軸方向にスライド移動可能に通される。
【００２４】
この下筐体固定板４２は、下筐体２に設けられた固定溝２ａに装着固定される。これにより、下筐体用カムパイプ４０は、下筐体２と一体になっている。  
また、上筐体４には、上筐体用固定プレート２０が非回転に固定される。そして、上筐体用固定プレート２０には、上筐体用カム軸６０が非回転に固定される。したがって、上筐体４に非回転に固定された上筐体用固定プレート２０及び上筐体用カム軸６０は、上筐体４と一体になってスライド移動および回転する。
【００２５】
図４に示すように、上筐体用固定プレート２０は、略円盤形を有しており、周面に左右対称の固定凸部２１が設けられている。この固定凸部２１の１つには、回動バネ３０の係止端３２（図３参照）が取り付けられる係止孔２３が設けられている。また、中央には、小判型の挿通孔２２が設けられている。
【００２６】
回動バネ３０は、コイル状に巻かれた弦巻バネであり、両端に係止端３１，３２が設けられている。係止端３１は、下筐体用カムパイプ４０の下筐体固定板４２に設けられた図示省略する係止孔に装着される。係止端３２は、上筐体用固定プレート２０の係止孔２３に装着される。これにより、回動バネ３０は、下筐体用カムパイプ４０の下筐体固定板４２と、上筐体用固定プレート２０とを相対的に回転させる方向へ付勢する。
【００２７】
押圧バネ３５は、コイル状に巻かれた弦巻バネであり、両端部分が平面となるように形成されている。この押圧バネ３５は、上筐体用固定プレート２０と下筐体用カムパイプ４０の下筐体固定板４２とを両者が離間する方向（軸心方向の一方向）へ付勢する。この付勢により、下筐体用カムパイプ４０のカムベース４４と、上筐体用カム軸６０のカム突起６５とが近づく方向へ押圧される。
【００２８】
下筐体用カムパイプ４０は、板状の下筐体固定板４２の片面側に円筒形のパイプ部４１を備え、下筐体固定板４２の他方の片面側にカムベース４４を備えている。下筐体固定板４２には、固定溝２ａに挿入された状態で下筐体２にネジ止め等により固定するための孔４３が設けられている。
【００２９】
カムベース４４は、下筐体固定板４２と反対側の面に、開状態係止斜面４５、回動許容平面４６、回動補助斜面４７、および閉状態吸い込み係止斜面４８が連続して円形配置されている。  
したがって、これらのカム面（４５〜４８）には、上筐体用カム軸６０のカム突起６５が係合しつつ移動する。
【００３０】
また、下筐体用カムパイプ４０は、パイプ部４１、下筐体固定板４２、およびカムベース４４を貫く挿通孔４９が設けられている。この挿通孔４９には、上筐体用カム軸６０の枢軸６３が挿通される。挿通孔４９の内面と枢軸６３の外周面との隙間は、両者が相対的に回転可能でガタつかない程度に微小に設定されている。
【００３１】
上筐体用カム軸６０は、円柱形の枢軸６３の一端にプレート固定部６１が設けられ、他端にカム突起６５が設けられている。プレート固定部６１は、断面小判型に形成されており、上筐体用固定プレート２０の挿通孔２２に挿通されてＥリング１１で固定される。これにより、上筐体用固定プレート２０と上筐体用カム軸６０は互いに相対回転しないように固定され、一体化する。
【００３２】
カム突起６５は、カムベース４４の各カム面（４５〜４８）に当接する。これにより、回転係止、回転許容、および回転補助を行う。上筐体用カム軸６０のカム突起６５が設けられている端部中央には、支持孔６７が形成されている。この支持孔６７には、上筐体４の枢軸５の先端に設けられた支持突起５ａが挿通される。これにより、上筐体用カム軸６０は支持突起５ａで安定して支持される。  
なお、支持突起５ａと前記回転軸４ｄとは軸心方向がほぼ一致している。したがって、支持突起５ａに安定して支持されている上筐体用カム軸６０と前記回転軸４ｄとも軸心方向がほぼ一致することとなる。
【００３３】
これらの構成要素を組み合わせたヒンジ機構１０は、図６に示すように携帯電話機１に組み込まれる。このとき、図示するように外部から視認できる部分がハウジング１５のみとなり、良好な美観を得ることができる。ハウジング１５を図示省略すると、図７に示すように、ヒンジ機構１０が上筐体４に装着される。
【００３４】
この図７では図示省略されているが、上筐体用カム軸６０に固定された上筐体用固定プレート２０が上筐体４に固定され、上筐体用カム軸６０の支持孔６７（図５参照）が上筐体４の支持突起５ａに支持される。したがって、上筐体用カム軸６０は上筐体４に確実に固定される。
【００３５】
図９及び図１０は閉状態とスライド状態の携帯電話機１の説明図であり、図１１は閉状態（０度）と、回動途中状態（４５度）と、全開状態（１６５度）とを説明する説明図である。
【００３６】
閉状態のとき、携帯電話機１は、図９（Ａ）や、図１０（Ａ）及び図１０（ａ）の要部拡大図に示すように下筐体２と上筐体４がずれなくピタリと重なった状態で係止している。このとき、図８に示したように上筐体用カム軸６０のカム突起６５は、カムベース４４の閉状態吸い込み係止斜面４８に当接している。
【００３７】
この閉状態吸い込み係止斜面４８は急激な斜面であり、また押圧バネ３５によりカムベース４４へ上筐体用カム軸６０が押圧されている。このため、回動バネ３０の回動付勢力がかかっていても、カム突起６５は閉状態吸い込み係止斜面４８を乗り越えることができない。
【００３８】
図９（Ｂ）に示すように、利用者の手によってボタンキャップ５１を下筐体２の幅方向（図９においてＹ方向）、すなわちヒンジ機構１０の回転軸と平行に押圧されると、下筐体２に対して上筐体４がＹ方向にスライド移動する。このとき、図６に矢印Ｘで示すように、下筐体用カムパイプ４０のカムベース４４が上筐体用カム軸６０のカム突起６５から離間する方向へ移動する。そうすると、カム突起６５はカムベース４４の閉状態吸い込み係止斜面４８での係止から開放されて閉状態吸い込み係止斜面４８を乗り越える。
【００３９】
乗り越えた後は、回動バネ３０の付勢力によって図１０（Ｃ）及び図１０（ｃ）の要部拡大図や、図１１（Ｃ）に示すように回動を始める。このとき、利用者によるボタンキャップ５１の押圧が停止されると、押圧バネ３５の付勢力によってカム突起６５がカムベース４４の回動補助斜面４７に当接する。そして、回動補助斜面４７の傾斜と押圧バネ３５の付勢力によって、下筐体用カムパイプ４０と上筐体用カム軸６０の回動、すなわち下筐体２と上筐体４の回動が補助される。  
回動が９０°を超えて、カム突起６５が回動許容平面４６に当接すると、その後は、これまでの回動の勢いと、回動バネ３０の付勢力によってさらに回動する。
【００４０】
そして、カム突起６５が開状態係止斜面４５に差し掛かると、開状態係止斜面４５の傾斜と押圧バネ３５の付勢力による吸い込みが働き、図８に示した１６５°の角度で、図１１（Ｄ）に示すように全開状態となって停止する。このとき、ハウジング１５に形成された回転係止突起１５ａが、上筐体４の上筐体正面４ｅ（重ね合わせ外側の面）に当接して回転係止する。これにより、全開状態での角度を安定させることができる。
【００４１】
開状態から閉状態へ戻すときは、利用者の手によって下筐体２と上筐体４が閉方向に回動される。ここで、カム突起６５が開状態係止斜面４５を乗り越える時に適度なクリック感が得られる。そして、カム突起６５が閉状態吸い込み係止斜面４８に差し掛かると、後は閉状態吸い込み係止斜面４８の傾斜と押圧バネ３５の付勢力による吸い込み機能が働き、下筐体２と上筐体４が完全閉状態まで自然に移行する。
【００４２】
以上の構成および動作により、利用者は、ボタンキャップ５１をダミーキャップ５２の方向に向かって、すなわち下筐体２の幅方向であるＹ方向に押圧するだけで、携帯電話機１を全開状態にすることができる。特に、例えば右手で下筐体２を下から掴み、親指でボタンキャップ５１を押圧させたときに、右手親指は枢動する上筐体４に触れることがなく、スムーズに上筐体４を開放することができる。
【００４３】
このように、利用者は、押圧しやすく大きなボタンキャップ５１を押圧することで上筐体４を開放させ、良好な操作性を得ることができる。したがって、例えば高齢者のような細かい操作が困難である利用者であっても容易に上筐体４の開放操作を行うことができる。
【００４４】
また、ボタンキャップ５１を、上筐体４の接続側の角部に凹状で形成した凹部４ａに収まる態様、詳しくは、下筐体２の下筐体側面２ｂ及び下筐体上面２ｃ、並びに上筐体４の上筐体側面４ｆ及び上筐体正面４ｅから突出しない、それぞれの面と面一となる形状及び配置でボタンキャップ５１を装着したため、操作性に優れた大きな形状のボタンキャップ５１を備えながらシンプルで美しい外観の携帯電話機１を提供することができる。
【００４５】
また、ボタンキャップ５１を側面視釣鐘形状に形成し、平面部分５１ｂが下筐体２側と成るように回転軸４ｄに装着したことにより、下筐体２と平面部分５１ｂとが面接触する。したがって、下筐体２に対して上筐体４が枢動する際に、上筐体４に対して回転自在に装着されたボタンキャップ５１は、平面部分５１ｂの下筐体２との面接触によって、上筐体４の回転と供回りすることを防止できる。
【００４６】
したがって、利用者が例えば親指でボタンキャップ５１を押圧して上筐体４の開放操作した場合であっても、上筐体４の回転がボタンキャップ５１に伝達されず、ボタンキャップ５１を押圧することによる回転力の低下等の開動作に支障する回転摩擦等が生じることを防止できる。
【００４７】
また、ボタンキャップ５１が下筐体２の側面に対して面一となる形状及び配置で装着しているため、不用意にボタンキャップ５１が押圧されて、上筐体４が開放されることを防止している。
【００４８】
また、ボタンキャップ５１の押圧方向反対側の凹部４ｂにボタンキャップ５１と左右対称形状のダミーキャップ５２を装着したために、シンメトリ形状を構成し、さらに美しい外観の携帯電話機１を提供することができる。
【００４９】
また、カムベース４４とカム突起６５とを係合させて回転係止しておくための押圧バネ３５と、自動回転動作を実現する回動バネ３０とを別構成としたため、利用者が下筐体２と上筐体４とをスライド移動させるために必要な押圧バネ３５に逆らう手動押圧力を小さくすることができる。また押圧バネ３５と回動バネ３０とを別構成にしたことにより、下筐体２と上筐体４の自動開動をしっかりと実現できる。
【００５０】
また、ヒンジ機構１０がハウジング１５内に収まっているため、携帯電話機１の外観をシンプルで美しくすることができ、また外観デザインの設計自由度を高めることができる。
【００５１】
また、下筐体２をスライドさせた際、連結筐体３と下筐体２が面接触している接続面間で相対的にスライド移動する。このため、上筐体４の凹部４ａ内における連結筐体３の位置が変化せず、スライド移動による隙間の発生を防止できる。これにより、シンプルで美しい外観の携帯電話機１を提供でき、また携帯電話機１の外観デザインの設計自由度を高めることができる。
【００５２】
また、下筐体用カムパイプ４０のパイプ部４１内に上筐体用カム軸６０の枢軸６３内に挿通し、この挿通されている長さをパイプ部４１内径以上に十分長くしたため、スライド移動にこじりが生じることを防止して安定移動させることができ、滑らかに回動させることができる。
【００５３】
さらに、ボタンキャップ５１が回転自在に装着された回転軸４ｄと、ヒンジ機構１０の回転軸である上筐体用カム軸６０との軸心方向がほぼ一致するよう配置されているため、下筐体２に対する上筐体４の開操作において、回転を妨げずにボタンキャップ５１を押圧することができる。  
また、回転軸４ｄと上筐体用カム軸６０との軸心方向がほぼ一致しているため、ボタンキャップ５１を押圧する軸心方向の押圧力を、ロスすることなく上筐体４に伝達することができる。
【００５４】
この発明の構成と、上述の実施形態との対応において、
この発明の携帯端末は、実施形態の携帯電話機１に対応し、
以下同様に、
第１筐体は、上筐体４に対応し、
第２筐体は、下筐体２に対応し、
ヒンジ装置は、連結筐体３及びヒンジ機構１０に対応し、
第１カムは、上筐体用カム軸６０に対応し、
第２カムは、下筐体用カムパイプ４０に対応し、
連結部は、パイプ部４１および枢軸６３に対応し、
押圧付勢手段は、押圧バネ３５に対応し、
回転付勢手段は、回動バネ３０に対応し、
係合手段は、カム面４５〜４８およびカム突起６５に対応し、
押圧操作手段は、ボタンキャップ５１に対応し、
凹部は、凹部４ｂに対応し、
第２筐体側面は、下筐体側面２ｂに対応し、
対向面は、平面部分５１ｂに対応し、
表示手段は、表示装置Ｄに対応し、
入力手段は、入力装置Ｉに対応するも、
この発明は、上述の実施形態の構成のみに限定されるものではなく、多くの実施の形態を得ることができる。
【図面の簡単な説明】
【００５５】
【図１】正面右上から見た開状態の携帯電話機の斜視図。
【図２】正面左上から見た閉状態における分解斜視図。
【図３】閉状態の携帯電話機の分解上面図。
【図４】左側面後ろ上方から見たヒンジ機構の分解斜視図。
【図５】左側面後ろ上方から見たヒンジ機構の斜視図。
【図６】閉状態の携帯電話機の縦断上面図。
【図７】右側面後ろ上方から見た携帯電話機の部分斜視図。
【図８】カム面の構成説明図。
【図９】閉状態とスライド状態の携帯電話機の説明図。
【図１０】閉状態とスライド状態の携帯電話機の説明図。
【図１１】閉状態（０度）と、回動途中状態（４５度）と、全開状態（１６５度）とを説明する説明図。
【符号の説明】
【００５６】
１…携帯電話機、２…下筐体、２ｂ…下筐体側面、３…連結筐体、４…上筐体、４ｂ…凹部、４ｆ…上筐体側面、１０…ヒンジ機構、３０…回動バネ、３５…押圧バネ、４０…下筐体用カムパイプ、４１…パイプ部、４５…開状態係止斜面、４６…回動許容平面、４７…回動補助斜面、４８…閉状態吸い込み係止斜面、５１…ボタンキャップ、６０…上筐体用カム軸、６３…枢軸、６５…カム突起、５１ｂ…平面部分、Ｄ…表示装置、Ｉ…入力装置
【図１】
2009138785.tif 000003
【図２】
2009138785.tif 000004
【図３】
2009138785.tif 000005
【図４】
2009138785.tif 000006
【図５】
2009138785.tif 000007
【図６】
2009138785.tif 000008
【図７】
2009138785.tif 000009
【図８】
2009138785.tif 000010
【図９】
2009138785.tif 000011
【図１０】
2009138785.tif 000012
【図１１】
2009138785.tif 000013